(57)【特許請求の範囲】
【請求項１】
建屋の複数階のエレベータホールに乗場呼び登録装置を設置し、前記建屋に形成された昇降路内に、上下移動するかご、及び前記各乗場呼び登録装置からの呼びに応じて前記かごを移動制御する制御装置を設け、さらに、前記建屋の特定階にメンテナンス装置を設けたエレベータシステムの伝送制御装置において、
前記制御装置と前記特定階を除く各階の乗場呼び登録装置との間で各種情報をシリアル伝送する第１のシリアル伝送ラインと、
前記制御装置と、前記特定階の乗場呼び登録装置との間及び前記メンテナンス装置との間でそれぞれ各種情報をシリアル伝送する第２のシリアル伝送ラインと、
電源遮断時においても前記第２のシリアル伝送ラインを介して前記特定階の乗場呼び登録装置及び前記メンテナンス装置に対して駆動電源を供給する電源バックアップ回路と、
前記第１のシリアル伝送ラインの伝送周期を検出する伝送周期検出部と、
前記第２のシリアル伝送ラインの伝送周期を前記伝送周期検出部で検出された前記第１のシリアル伝送ラインの伝送周期に一致させる伝送周期調整手段と
を備えたことを特徴とするエレベータシステムの伝送制御装置。
【請求項２】
前記特定階の乗場呼び登録装置は、前記第２のシリアル伝送ラインを介して受信した前記制御装置からの情報を自己の表示器へ表示出力するとともに、前記メンテナンス装置から出力された表示情報を前記自己の表示器へ表示出力する表示器共用手段を備えたことを特徴とする請求項１記載のエレベータシステムの伝送制御装置。
【請求項３】
前記第２のシリアル伝送ラインの調整後の伝送周期は、前記特定階以外の各乗場呼び登録装置の登録装置用期間と同一の特定階の乗場呼び登録装置の登録装置用期間と、少なくともこの登録装置用期間の３倍以上のメンテナンス用期間とで構成され、
前記メンテナンス装置は、メンテナンス操作に応動して、このメンテナンス操作の操作データを前記メンテナンス用期間に複数回繰り返し設定する重複送信手段を有する
ことを特徴とする請求項１記載のエレベータシステムの伝送制御装置。
【請求項４】
前記メンテナンス装置は、前記制御装置に対する制御プログラムの転送指示操作に応じて、前記制御プログラムを分割して、前記伝送周期が経過する毎に、前記メンテナンス用期間一杯に順次設定していく制御プログラム転送手段を有する
ことを特徴とする請求項３記載のエレベータシステムの伝送制御装置。
【請求項５】
前記制御装置は、前記制御プログラムの受信期間中において、前記第１のシリアル伝送ラインにおける各登録装置用期間にプログラム転送中の表示指令を設定するメンテナンス状態表示手段を有することを特徴とする請求項４記載のエレベータシステムの伝送制御装置。
【発明の詳細な説明】
【技術分野】
【０００１】
本発明は、かごが上下移動する昇降路内にかご以外にこのかごの動作を制御する制御装置が組込まれたエレベータシステムに係わり、特に制御装置と各階の乗場呼び登録装置とをシリアル伝送ラインで接続するエレベータシステムの伝送制御装置に関する。
【背景技術】
【０００２】
昇降路内にかごの他に、当該かごを上下方向に移動制御する制御装置が組込まれたエレベータシステムが実用化されている（特許文献１参照）。このようなエレベータシステムは、例えば図７（ａ）に示すように構成されている。図示しない建屋に形成された昇降路１内において、この昇降路１の天井に一端２が固定された主ロープ３は、釣合錘４に取付られたシーブ５、昇降路１内の壁に固定された巻上機６、かご７に取付られたシーブ８、９を介して、他端１０が昇降路１の天井に固定されている。さらに、昇降路１内の天井近傍の最上階位置に、制御装置１１が取付られている。制御装置１１が巻上機６を回転制御することによって、かご７を任意の階へ移動させることが可能である。
【０００３】
図８（ａ）に示すように、各階のエレベータホールのエレベータのドア１２近傍の壁には乗場呼び登録装置１３が取付られている。この乗場呼び登録装置１３には、図８（ｂ）に示すように、上下方向の呼びボタン１４と、かご７の現在位置（階）と移動方向とをドットマトリックス表示する表示器１５とが設けられている。
【０００４】
また、制御装置１１が昇降路１内に設けられた最上階の乗場呼び登録装置１３は図８（ｃ）に示すように、壁に対して回動自在に設けられ、壁内には、乗場呼び登録装置１３を回動させることによって、操作部１６と表示器１７が露出するメンテナンス装置１８が埋込まれている。このメンテナンス装置１８は、エレベータの運転モードを点検運転に切り替えるスイッチ、ドアを開閉するスイッチ、エレベータの主電源を切るスイッチ等が組込まれ、エレベータの保守員がこのエレベータシステムに対してかご７が正常に移動することを確認したり、制御装置１１におけるエレベータ制御を変更したり、地震発生時に停止したエレベータのかご７を手動操作で移動させるときに使用する。
【０００５】
また、図７（ａ）に示すよぅに、建屋の管理室内にはエレベータシステムの動作を常時監視する監視装置１９が設けられている。さらに、かご７内には、かご呼び登録装置２０が設けられている。このかご呼び登録装置２０には、図７（ｂ）に示すように、複数の行き先階ボタン２１と、かご７の現在位置（階）と移動方向とをドットマトリックス表示する表示器２２と、緊急時のインタホン２３が設けられている。
【０００６】
図９は、このように構成されたエレベータシステムにおける制御装置１１と各部１３、１８、１９、２０との間で各種の情報を送受信する伝送制御装置の概略構成図である。
【０００７】
かご７内のかご呼び登録装置２０はテールコード２４で制御装置１１に接続され、制御装置１１とかご呼び登録装置２０とはシリアル伝送ラインでもって情報の送受信を行う。また、監視装置１９とメンテナンス装置１８と他のエレベータ号機の制御装置１１ａと制御装置１１とを信号線２５で直列接続して、制御装置１１は、監視装置１９とメンテナンス装置１８と他の制御装置１１ａとの間でシリアル伝送ラインでもって各種情報の送受信を行う。さらに、制御装置１１と各階の乗場呼び登録装置１３を信号線２６で直列接続して、制御装置１１は、各乗場呼び登録装置１３との間でシリアル伝送ラインでもって各種情報の送受信を行う。
【０００８】
このように、制御装置１１は、各乗場呼び登録装置１３、かご呼び登録装置２０、メンテナンス装置１８、監視装置１９との間でそれぞれ、シリアル伝送ラインを構築して、このシリアル伝送ラインでもって各種の情報を送受信することによって、制御装置１１と各装置１３、１８、１９とを接続する信号線２５、２６の本数を削減でき、伝送制御装置の簡素化を図ることが可能である。
【０００９】
また、メンテナンス装置１８を用いることによって、保守員によるエレベータシステムに対するメンテナンス作業の簡素化を図ることが可能となる。
【特許文献１】特開２００４―１６１４３３号公報
【発明の開示】
【発明が解決しようとする課題】
【００１０】
しかしながら図９に示すエレベータシステムの伝送制御装置においても、まだ解消すべき次のような課題があった。
【００１１】
すなわち、各階のエレベータホールに設けられた各乗場呼び登録装置１３は、このエレベータシステムの制御装置１１が「通常運転モード」でエレベータの運転を実施している期間においてのみ、エレベータホールにいる利用者の上下方向の呼びボタン１４のボタン操作を受付けると共に、表示器１５にかご７の現在位置を表示すればよい。したがって、信号線２６を含むシリアル伝送ラインとしては、特に電源バックアップされたシリアル伝送ラインを用いる必要はない。
【００１２】
しかし、メンテナンス装置１８は、例えば停電発生時等において、利用者がかご７内に閉じこめられてしまった場合におけるバッテリ等のバックアップ電源を用いたエレベータの救出運転にも使用される。したがって、信号線２５を含むシリアル伝送ラインとしては、電源バックアップされたシリアル伝送ラインを用いる必要がある。
【００１３】
その結果、互いに近接配設された最上階の乗場呼び登録装置１３とメンテナンス装置１８を一つのシリアル伝送ラインに組込むことができなかった。そのために、伝送制御装置のより一層の簡素化を図ることができなかった。
【００１４】
本発明はこのような事情に鑑みてなされたものであり、互いに近接配設された特定階の乗場呼び登録装置とメンテナンス装置を電源バックアップ回路で電源バックアップされた一つのシリアル伝送ラインに組込むことによって、メンテナンス装置が必要とする機能を十分に確保した上で、隣接の乗場呼び登録装置とのシリアル伝送ラインを統合でき、伝送制御装置のより一層の簡素化を図ることができ、かつ特定階の乗場呼び登録装置と他の階の乗場呼び登録装置とを個別に制御できるエレベータシステムの伝送制御装置を提供することを目的とする。
【課題を解決するための手段】
【００１５】
上記課題を解決するために、本発明は、建屋の複数階のエレベータホールに乗場呼び登録装置を設置し、建屋に形成された昇降路内に、上下移動するかご、及び各乗場呼び登録装置からの呼びに応じて前記かごを移動制御する制御装置を設け、さらに、建屋の特定階にメンテナンス装置を設けたエレベータシステムの伝送制御装置において、
制御装置と特定階を除く各階の乗場呼び登録装置との間で各種情報をシリアル伝送する第１のシリアル伝送ラインと、制御装置と、特定階の乗場呼び登録装置との間及びメンテナンス装置との間でそれぞれ各種情報をシリアル伝送する第２のシリアル伝送ラインと、電源遮断時においても第２のシリアル伝送ラインを介して特定階の乗場呼び登録装置及びメンテナンス装置に対して駆動電源を供給する電源バックアップ回路と、第１のシリアル伝送ラインの伝送周期を検出する伝送周期検出部と、第２のシリアル伝送ラインの伝送周期を伝送周期検出部で検出された第１のシリアル伝送ラインの伝送周期に一致させる伝送周期調整手段とを備えている。
【００１６】
このように構成されたエレベータシステムの伝送制御装置においては、制御装置と、特定階の乗場呼び登録装置との間及びメンテナンス装置との間を接続する第２のシリアル伝送ラインは電源バックアップ回路で電源バックアップされているので、メンテナンス装置の機能が損なわれることはない。したがって、伝送制御装置のより一層の簡素化を図ることができる。
【００１７】
また、特定階の乗場呼び登録装置と他の階の乗場呼び登録装置とは異なるシリアル伝
送ラインで制御装置に接続されているので、制御装置は両者を個別に制御可能である。さらに、第１、第２のシリアル伝送ラインの伝送周期は等しいので、特定階の乗場呼び登録装置のかごの現在位置表示タイミングが他の階の乗場呼び登録装置の表示タイミングに対してずれることはない。
【００１８】
また別の発明は、上述した発明におけるエレベータシステムの伝送制御装置において、特定階の乗場呼び登録装置は、第２のシリアル伝送ラインを介して受信した制御装置からの情報を自己の表示器へ表示出力するとともに、メンテナンス装置から出力された表示情報を前記自己の表示器へ表示出力する表示器共用手段を備えている。
【００１９】
このような構成においては、特定階の乗場呼び登録装置は制御装置がエレベータの「通常運転時」においては、かごの現在位置（階）を表示し、エレベータの「メンテナンス時」においてはメンテナンス装置からの表示情報を表示する。したがって、メンテナンス装置は表示器を設ける必要がないので、伝送制御装置の製造費を削減できる。
【００２１】
また別の発明は、上述した発明におけるエレベータシステムの伝送制御装置において、第２のシリアル伝送ラインの調整後の伝送周期は、特定階以外の各乗場呼び登録装置の登録装置用期間と同一の特定階の乗場呼び登録装置の登録装置用期間と、少なくともこの登録装置用期間の３倍以上のメンテナンス用期間とで構成され、メンテナンス装置は、メンテナンス操作に応動して、このメンテナンス操作の操作データをメンテナンス用期間に複数回繰り返し設定する重複送信手段を有する。このような構成においては、操作者がメンテナンス装置に操作入力された操作データは、３回以上繰返し送信されるので伝送制御装置のメンテナンスの信頼性を向上できる。
【００２２】
また別の発明は、上述した発明におけるエレベータシステムの伝送制御装置において
メンテナンス装置は、制御装置に対する制御プログラムの転送指示操作に応じて、制御プログラムを分割して、伝送周期が経過する毎に、メンテナンス用期間一杯に順次設定していく制御プログラム転送手段を有する。
【００２３】
また、別の発明においては、前記制御装置は、制御プログラムの受信期間中において、前記第１のシリアル伝送ラインにおける各登録装置用期間にプログラム転送中の表示指令を設定するメンテナンス状態表示手段を備えている。
【００２４】
このような構成においては、メンテナンス装置から制御プログラムを制御装置へ転送するとき、制御プログラムは分割されて送信される。そして、この制御プログラムを伝送期間中においては、特定階以外の各階の各乗場呼び登録装置の表示部にはプログラム転送中のメッセージが表示される。
【発明の効果】
【００２５】
本発明においては、メンテナンス装置が必要とする機能を十分に確保した上で、メンテナンス装置は、隣接の乗場呼び登録装置とシリアル伝送ラインを統合でき、伝送制御装置のより一層の簡素化を図ることができ、かつ隣接の乗場呼び登録装置と他の階の乗場呼び登録装置とを個別に制御でき、エレベータの利用者に対するサービスを向上できる。
【発明を実施するための最良の形態】
【００２６】
以下、本発明の一実施形態を図面を用いて説明する。
【００２７】
図１は本発明の一実施形態に係わるエレベータシステムの伝送制御装置の概略構成図である。また、図３は同伝送制御装置の詳細ブロック構成図である。図９の従来のエレベータシステムの伝送制御装置と同一部分には、同一符号を付して重複する部分の詳細説明を省略する。また、エレベータシステムの全体図は図７（ａ）に示した全体図とほぼ同一であるので説明を省略する。
【００２８】
本発明の実施形態に係わるエレベータシステムの伝送制御装置においては、特定階である最上階以外の各階のエレベータホールに設けられた各乗場呼び登録装置１３は信号線３１でエレベータの動作を制御する制御装置３０に接続され、制御装置３０と各乗場呼び登録装置１３とは図３に示す第１のシリアル伝送ライン制御部３５と信号線３１とで構成された第１のシリアル伝送ライン３５ａでもって乗場呼びやかご７の現在位置（階）の情報の送受信を行う。
【００２９】
また、特定階としての最上階のエレベータホールに設けられた乗場呼び登録装置１３ａ及びメンテナンス装置３３は信号線３２で制御装置３０に接続され、制御装置３０と特定階の乗場呼び登録装置１３ａとメンテナンス装置３３とは図３に示す第２シリアル伝送ライン制御部３７と信号線３２とで構成された第２のシリアル伝送ライン３７ａでもって乗場呼びやかご７の現在位置（階）の情報及びメンテナンス情報の送受信を行う。
【００３０】
また、監視装置１９と他のエレベータ号機の制御装置３０ａとは信号線３４で制御装置３０に直列接続されている。そして、制御装置３０と、監視装置１９及び他の号機の制御装置３０とは図３に示す第３のシリアル伝送ライン制御部３６と信号線３４とで形成された第３シリアル伝送ライン３６ａでもって、監視情報等の各種の情報の送受信を行う。
【００３１】
さらに、かご７内のかご呼び登録装置２０はテールコード２４で制御装置３０に接続され、制御装置３０とかご呼び登録装置２０とは図３に示す第４シリアル伝送ライン制御部３８とテールコード２４とで構成された第４のシリアル伝送ライン３８ａでもってかご７の行き先階やかご７の現在位置（階）の情報の送受信を行う。
【００３２】
また、図２（ａ）に示すように、特定階としての最上階のエレベータホールに設けられた乗場呼び登録装置１３ａは、壁に対して回動自在に設けられ、壁内には、乗場呼び登録装置１３ａを回動させることによって、操作部１６が露出するメンテナンス装置３３が埋込まれている。このメンテナンス装置３３には、図７（ｃ）に示す表示部１７は設けられていない。そして、メンテナンス実行過程で、操作指示や制御装置３０から第２のシリアル伝送ライン３７ａを介した応答情報は隣接する乗場呼び登録装置１３ａの表示器１５ａに表示する。
【００３３】
したがって、乗場呼び登録装置１３ａの表示器１５ａは、通常運転時に、自己の乗場呼び登録装置１３ａが本来表示すべきかご７の現在位置（階）を表示するとともに、メンテナンス時にメンテナンスに必要な情報を表示する共用の表示器１５ａを構成する。
【００３４】
また、メンテナンス装置３３は、重複送信部５２と、このメンテナンス装置３３に臨時に信号ケーブルを介して接続されたＰＣ（パーソナル・コンピュータ）５４から読取った制御プログラムを第２のシリアル伝送ライン３７ａを介しで制御装置３０へ転送するプログラム転送部５３が設けられている。
【００３５】
コンピュータ等の情報処理装置からなる制御装置３０内には、制御プログラム４２、及び制御パラメータ４３が記憶されている。さらに、この制御装置３０内には、外部の交流電源４９から供給される交流電力をそのまま巻上機６の駆動制御部４８へ供給されると共に、ＤＣ５Ｖの駆動電圧を供給する電源回路５０と、停電発生時に、各部にバックアップ電源を供給する充電装置５１が設けられている。
【００３６】
そして、停電発生時に、この充電装置５１からバックアップ電源が第２のシリアル伝送ライン３７ａを介して、メンテナンス装置３３及び乗場呼び登録装置１３ａに供給される。
【００３７】
したがって、停電発生時においても、メンテナンス装置３３及び乗場呼び登録装置１３ａは、正常にメンテナンス処理を実施でき、エレベータシステムの伝送制御装置の信頼性を向上できる。
【００３８】
さらに、制御装置３０内には、このエレベータシステムが正常状態時に、各階の乗場呼び登録装置１３，１３ａからの「及び」、及びかご呼び登録装置２０からのかご７の移動階を指定した「呼び」を抽出する通常運転部４５が設けられている。さらに、メンテナンス装置３３からのメンテナンス指示を実際に実行するメンテナンス運転部４６が設けられている。
【００３９】
そして、呼び制御部４７は、通常運転部４５から入力された「呼び」が指定する階へかご７を移動させる指令を駆動制御部４８へ送出する。駆動制御部４８は巻上機６を駆動して、かご７を指定階へ移動させる。
【００４０】
また、通信部４４は、通常運転部４５、メンテナンス運転部４６、呼び制御部４７と、第１、第２、第３、第４の各シリアル伝送ラインとを切換接続する。
【００４１】
次に、第１のシリアル伝送ライン３５ａと第２のシリアル伝送ライン３７ａにおける伝送フレームを図４を用いて説明する。
【００４２】
第１のシリアル伝送ライン３５ａの伝送フレーム３５ｂには、特定階である最上階以外の各階の乗場呼び登録装置１３に割当られた複数の登録装置用期間３５ｃが形成されている。そして、この第１のシリアル伝送ライン３５ａの伝送フレーム３５ｂの伝送周期はＴ1である。したがって、各階の乗場呼び登録装置１３は伝送周期Ｔ1でもって制御装置３０と各種の情報を送受信する。そして、この第１のシリアル伝送ライン３５ａにおける伝送周期Ｔ1は、図３で示した伝送周期検出部３９で検出されて、伝送周期調節部４０へ送出する。
【００４３】
第２のシリアル伝送ライン３７ａの伝送フレーム３７ｂには、特定階である最上階の乗場呼び登録装置１３ａに割当られた１個の登録装置用期間３７ｃ、及びこの登録装置用期間３７ｃの３倍以上のメンテナンス用期間３７ｄが形成されている。
【００４４】
エレベータの通常運転時には、メンテナンス装置３３は稼働していないので、メンテナンス用期間３７ｄには情報は書込まれない。登録装置用期間３７ｃには、最上階の乗場呼び登録装置１３ａと制御装置３０との間で送受信される「呼び」や「かご現在位置」等の情報が書込まれる。
【００４５】
この第２のシリアル伝送ライン３７ａにおける伝送フレーム３７ｂの伝送周期Ｔ2は、伝送周期調節部４０でもって第１のシリアル伝送ライン３５ａにおける伝送周期Ｔ1に一致するように調整されている。したがって、特定階の乗場呼び登録装置１３ａのかご７の現在位置表示タイミングが他の階の乗場呼び登録装置１３の表示タイミングに対してずれることはない。
【００４６】
また、エレベータのメンテナンス時には、伝送フレーム３７ｂのメンテナンス用期間３７ｄには、メンテナンス装置３３の重複送信部５２の自動制御により、操作者（保守員）よるメンテナンス操作に応動して、このメンテナンス操作の操作データ３７ｅをメンテナンス用期間３７ｄに３回以上繰り返し設定する。このように操作データ３７ｅをメンテナンス用期間３７ｄに３回以上繰り返し設定することによって、操作者（保守員）にてメンテナンス装置３３に操作入力された操作データ３７ｅは、３回以上繰返し制御装置３０へ送信されるので伝送制御装置の信頼性を向上できる。
【００４７】
また、エレベータのメンテナンス時には、制御装置３０はメンテナンス操作の応答をこの特定階の乗場呼び登録装置１３ａの登録装置用期間３７ｃに書込むことによって、応答を特定階の乗場呼び登録装置１３ａの表示器１５ａに表示させることも可能である。
【００４８】
また、エレベータのメンテナンス時に、このメンテナンス装置３３からプログラム転送部５３にて制御プログラムを制御装置３０へ自動転送する場合は、制御プログラムを分割して、伝送周期Ｔ1が経過する毎に、メンテナンス用期間３７ｄ一杯に分割された制御プログラム３７ｇを次設定していく。
【００４９】
制御装置３０は、制御プログラムの受信期間中において、第１のシリアル伝送ライン３５ａの伝送フレーム３５ｂの各登録装置用期間３５ｃにプログラム転送中の表示指令を設定する。また、メンテナンス期間中においても、第１のシリアル伝送ライン３５ａの伝送フレーム３５ｂの各登録装置用期間３５ｃにメンテナンス中の表示指令を設定する。
【００５０】
このようなメンテナンス実施期中においては、特定階以外の各乗場呼び登録装置１３の表示器１５にはプログラム転送中又はメンテナンス中のメッセージが表示されるので、利用客に対するサービスを向上できる。
【００５１】
次に、制御装置３０の全体動作を図５の流れ図を用いて説明する。通常運転モード時において、第１、第２、第４のシリアル伝送ライン３５ａ，３７ａ、３８ａを介して行き先階を指定した「呼び」が入力すると（ステップＳ１）、この「呼び」に応答するかご７を決定する呼び処理を行い（Ｓ２）、決定したかご７に対する駆動制御処理を実行する（Ｓ３）。
【００５２】
第２のシリアル伝送ライン３７ａを介して、メンテナンス装置３３からメンテナンス開始指示が入力されると（Ｓ４）、メンテナンス運転部４６を起動して、メンテナンスモード設定し、第１のシリアル伝送ライン３５ａを介して、特定階以外の各乗場呼び登録装置１３の表示器１５にメンテナンス中のメッセージを表示させる（Ｓ５）。
【００５３】
そして、第２のシリアル伝送ライン３７ａを介して、メンテナンス装置３３からかご７の移動指令が入力すると（Ｓ６）、かご７を指定方向へ移動させる（Ｓ７）。また、第２のシリアル伝送ライン３７ａを介して、メンテナンス装置３３から制御プログラムが入力されると（Ｓ８）、記憶部４１に記憶されている制御プログラム４２を入力した制御プログラムで更新する（Ｓ９）。なお、制御プログラムの受信、更新期間中においては、第１のシリアル伝送ライン３５ａを介して、特定階以外の各乗場呼び登録装置１３の表示器１５に制御プログラムの受信、更新中のメッセージを表示させる。
【００５４】
同様に、第２のシリアル伝送ライン３７ａを介して、メンテナンス装置３３から制御パラメータが入力されると（Ｓ１０）、記憶部４１に記憶されている制御パラメータ４３を入力した制御パラメータで更新する（Ｓ１１）。
【００５５】
そして、第２のシリアル伝送ライン３７ａを介して、メンテナンス装置３３からメンテナンス終了指示が入力されると（Ｓ１２）、メンテナンス運転部４６を停止して、メンテナンスモードを解除する（Ｓ１３）。
【００５６】
次に、メンテナンス装置３３の動作を図６の流れ図を用いて説明する。
【００５７】
操作者（保守員）が操作部１６でメンテナンスの開始操作を実施すると（ステップＱ１）、第２のシリアル伝送ライン３７ａの伝送フレーム３７ｂの自己のメンテナンス用期間３７ｃ内に、開始操作データを３回繰り返し書込む（Ｑ２）。操作者（保守員）が操作部１６でかご７の移動操作を実施すると（Ｑ３）、第２のシリアル伝送ライン３７ａの伝送フレーム３７ｂの自己のメンテナンス用期間３７ｃ内に、かごの移動操作データを３回繰り返し書込む（Ｑ４）。
【００５８】
操作者（保守員）が操作部１６から制御パラメータを操作入力すると（Ｑ５）、第２のシリアル伝送ライン３７ａの伝送フレーム３７ｂの自己のメンテナンス用期間３７ｃ内に、その制御パラメータを書込む（Ｑ６）。
【００５９】
ＰＣ５４から制御プログラムが入力されると（Ｑ７）、この制御プログラムを分割して（Ｑ８）、伝送周期Ｔ1が経過する毎に、第２のシリアル伝送ライン３７ａの伝送フレーム３７ｂの自己のメンテナンス用期間３７ｄ一杯に分割された制御プログラム３７ｇを順次書込んでいく（Ｑ９）。
【００６０】
制御装置３０から第２のシリアル伝送ライン３７ａの伝送フレーム３７ｂの自己のメンテナンス用期間３７ｄを介して表示データを受信すると（Ｑ１０）、この受信した表示データを、隣接する特定階の乗場呼び登録装置１３ａの表示器１５ａに表示する（Ｑ１１）。
【００６１】
そして、操作者（保守員）が操作部１６でメンテナンスの終了操作を実施すると（Ｑ１２）、第２のシリアル伝送ライン３７ａの伝送フレーム３７ｂの自己のメンテナンス用期間３７ｃ内に、終了操作データを３回繰り返し書込む（Ｑ１３）。
【図面の簡単な説明】
【００６２】
【図１】本発明の一実施形態に係わるエレベータシステムの伝送制御装置の概略構成図
【図２】同実施形態のエレベータシステムの伝送制御装置における特定階の乗場呼び登録装置とメンテナンス装置との位置関係を示す図
【図３】同実施形態のエレベータシステムの伝送制御装置を示す詳細ブロック構成図
【図４】同実施形態のエレベータシステムの伝送制御装置で採用される伝送フレームを示す図
【図５】同実施形態のエレベータシステムの伝送制御装置に組込まれている制御装置の動作を示す流れ図
【図６】同実施形態のエレベータシステムの伝送制御装置に組込まれているメンテナンス装置の動作を示す流れ図
【図７】昇降路内に制御装置が組込まれエレベータシステムの模式図
【図８】従来のエレベータシステムの伝送制御装置における特定階の乗場呼び登録装置とメンテナンス装置との位置関係を示す図
【図９】従来のエレベータシステムの伝送制御装置の概略構成図
【符号の説明】
【００６３】
１…昇降路、４…釣合錘、６…巻上機、７…かご、１３，１３ａ…乗場呼び登録装置、１５，１５ａ…表示器、１６…操作部、１８，３３…メンテナンス装置、１９…監視装置、２０…かご呼び登録装置、２１…行き先階ボタン、２３…テールコード、３１，３２，３４…信号線、３５…第１のシリアル伝送ライン制御部、３５ａ…第１のシリアル伝送ライン、３５ｂ，３７ｂ…伝送フレーム、３５ｃ，３７ｃ…登録装置用期間、３６…第３のシリアル伝送ライン制御部、３６ａ…第３のシリアル伝送ライン、３７…第２のシリアル伝送ライン制御部、３７ａ…第２のシリアル伝送ライン、３７ｄ…メンテナンス用期間、３８…第３のシリアル伝送ライン制御部、３８ａ…第３のシリアル伝送ライン、３９…伝送周期検出部、４０…伝送周期調整部、４１…記憶部、４２…制御プログラム、４３…制御パラメータ、４４…通信部、４５…通常運転部、４６…メンテナンス運転部、４７…呼び制御部、４８…駆動制御部、４９…交流電源、５０…電源回路、５１…充電装置、５２…重複送信部、５３…プログラム転送部、５４…ＰＣ
【図１】
0005207225.tif 000002
【図２】
0005207225.tif 000003
【図３】
0005207225.tif 000004
【図４】
0005207225.tif 000005
【図５】
0005207225.tif 000006
【図６】
0005207225.tif 000007
【図７】
0005207225.tif 000008
【図８】
0005207225.tif 000009
【図９】
0005207225.tif 000010